(57)【要約】      （修正有）【課題】患者の視点に立ち、安価及び簡易な手段でストーマ袋をしたまま風呂やプールなどに入れる手段を提供する。【解決手段】ストーマ袋用の防水シートが、防水性を有し、片面には粘着層が設けられ、ストーマ袋の上から体に貼り付けることができる。また、防水シートがナイロン生地からなり、また、撥水性及び透湿性を有する。さらに、防水シートがロール状に重ねられている。【選択図】図３
0003174091.tif 000002
【実用新案登録請求の範囲】
【請求項１】
防水性を有し、片面には粘着層が設けられた、ストーマ袋の上から体に貼り付けることができることを特徴とするストーマ袋用の防水シート。
【請求項２】
前記防水シートがナイロン生地からなることを特徴とする請求項１に記載の防水シート。
【請求項３】
前記防水シートが、撥水性と透湿性を有することを特徴とする請求項２又は３に記載の防水シート。
【請求項４】
前記防水シートがロール状に重ねられていることを特徴とする請求項１ないし３のいずれかに記載の防水シート。
【考案の詳細な説明】
【技術分野】
【０００１】
本考案は、ストーマ袋を体に装着した後、ストーマ袋に貼り付けることができる防水シートに関する。
【背景技術】
【０００２】
ストーマは、消化管や尿路の疾患などにより腹部に便を排泄するために増設された排泄口のことであり、排泄物は合成樹脂で構成されるストーマ袋に溜められる。このストーマ袋は、袋と面板から構成されている。袋の入口側の孔部が面板の一方の面に固定され、この面板には接着性のある皮膚保護剤が塗布され、ストーマ周囲に接着することで、ストーマ袋が腹部に固定保持される。
【０００３】
袋の下部には開口部が備わっており、溜まった排泄物を排出又は開口部からガスを抜くことができるものと、開口部を備えず使い捨てできるものがある。このような袋及び面板とからなるストーマ袋には、袋と面板とが一体的に固着されたワンピース型と、袋が面板に対し着脱交換可能なツーピース型の２種類が存在している。
【０００４】
そして、使用者は、例えば風呂やプールに入るときにストーマ袋を装着したままだと、中に水が入ってしまったり、外しにくくなってしまうことがあるため、ストーマ袋を外さなければならない場合がある。また、ストーマ袋を装着した場合に浴場やサウナに行ってしまうと、他者の目にさらされてしまい、精神上大変な負担が生じる場合がある。
【０００５】
しかしながら、ストーマ袋の防水カバーを購入するには患者の費用負担が大きい場合があり、また現在販売されているカバーでは装着が困難であった。そのため、現時点では患者の視点に立ち、安価かつ簡易な手段で、ストーマ袋をしたまま風呂やプールなどに入れる手段が望まれていた。
【考案の概要】
【考案が解決しようとする課題】
【０００６】
そこで、本考案の目的は、患者の視点に立ち、安価及び簡易な手段でストーマ袋をしたまま風呂やプールなどに入れる手段が望まれていた。
【課題を解決するための手段】
【０００７】
前記目的を達成するため、本考案のストーマ袋用の防水シートは、防水性を有し、片面には粘着層が設けられた、ストーマ袋の上から体に貼り付けることができることからなる。また、防水シートがナイロン生地からなることが好適である。また、防水シートが撥水性及び透湿性を有することが好適である。また、防水シートがロール状に重ねられていることが好適である。
【０００８】
本考案のストーマ袋用防水シートは、ストーマ袋の上から被せ、体に貼り付ける形で使用される。そのため、シートの片面には粘着層が設けられる。シートが防水加工されていることにより、風呂に入ってもストーマ袋は濡れることがない。さらに、他者からはストーマ袋を直接見ることがないため、使用者は安心して浴場に行くことが出来る。この点から、防水シートは透明でないものが好ましく、肌色が好適である。
また、防水シートの生地としては不織布、各種の布生地、合成樹脂などを使うことができるが、ナイロン生地であることにより、安価で提供することができる。
また、防水だけでなく、例えばスキーウェアなどに使用される、撥水及び透湿性加工された生地を使用することで、品質の向上を図ることができる。
なお、シートの大きさはストーマ袋や体の大きさに合わせて適宜設定され特に限定されるものではない。また、通常は防水シートに剥離紙を付けて販売されるが、シートをロール状に丸めた形状とすることで、剥離紙を必要とせず、かつ使用者は好きな大きさに切って使用することができる。
【０００９】
防水加工については、ポリウレタンや塩化ビニール、ゴムなどを生地の表面にコーティングしたりラミネートするなど、公知の手段を使用することが出来る。
撥水加工についても、シリコン樹脂やフッ素樹脂で繊維を包み疎水性にするなど、公知の手段を使用することができる。
透湿性加工については、水蒸気を透過するが、水を透過しない微多孔質の被膜を形成し得る公知の樹脂を使用することができる。例えば、ポリオールとイソシアネート化合物を反応せしめて得られるポリウレタン樹脂、アミノ酸とウレタンとの共重合物であるポリアミノ酸樹脂、アクリル酸エステル等のアクリル酸樹脂等を単独又は混合して用いる方法や、特開平５−１０４６８４号公報に記載された、ポリピロリドンを布帛にコーティングあるいはポリピロリドンからなる膜をラミネートさせ、ポリピロリドンフィルムの高透湿性および染料分子移行防止性を利用した方法など、公知の手段を使用することができる。
【００１０】
粘着剤の種類や強度等は、目的に応じて公知の手段から選択することができる。粘着剤の塗布位置については、生地の透湿性などを考慮して周囲にのみ塗布したり、全面に塗布するなど（この場合、中央部分には紙やガーゼを当てるなどしても良い。）、特に限定されるものではない。
なお、本願考案の防水シートは、ストーマ袋をつけないでそのまま体につけて使用することもできる。この場合、ストーマにガーゼなどをあてて、その上から防水シートを貼り付けることが好適である。
【００１１】
また、製造費用が許せば、ストーマ袋用貼り付けシートを伸縮性のある素材で製造したり、公知の方法で消臭及び／又は芳香処理、及び／又は抗菌処理することで、より快適にストーマ袋を使用することができる。ここで、消臭処理とは防臭処理も含む概念である。
【考案の効果】
【００１２】
本考案の以上の構成により、ストーマ袋の使用者は、ストーマ袋を装着した後、ストーマ袋用防水シートをストーマ袋に貼り付けるだけで、ストーマ袋を付けたまま入浴や水泳等をすることができる。また、ストーマ袋の外観を隠すことが出来、患者の精神的負担を大きく和らげることができる。また、構造が簡単であるため、安価で製造が可能で、患者の経済的負担を最も軽減することが可能である。
【図面の簡単な説明】
【００１３】
【図１】ストーマ袋を示す図である。
【図２】本考案の本考案の防水シートを正面から見た図である。
【図３】ストーマ袋の正面から本考案の防水シートを貼り付けた図である。
【考案を実施するための形態】
【００１４】
本考案の実施の形態の一例を図面にしたがって説明する。
【００１５】
図１は、ストーマ袋１を示す図である。ストーマ袋１は、排泄物を入れるための袋２と、面板３から構成されている。この面板３が袋２と一体となっているワンピース型と、面板３が袋２に対し着脱可能なツーピース型の２種類が市販されている。本考案の防水シート４（図２，３参照）は、いずれの型についても使用可能である。
【００１６】
図２は、本考案の防水シート４を正面から見た図であり、図３はストーマ袋１の正面から防水シート４を貼り付けた状態を示す図である。
防水シート４は、表面が肌色をしており、ストーマ袋の上から体にに粘着可能となっている。
使用者は、防水シート４から剥離シート（図示せず）を剥がして、図３に示すようにストーマ袋１の上から体に貼り付ける。これにより、ストーマ袋１は防水シート４に完全に隠れてしまい、水の進入を防ぐことができる。なお、ストーマ袋に何も入っていない状態であれば、ストーマ袋を折り畳んで少し小さくしておけば、防水シート４の大きさも小さくて済む。
この作業のみで、使用者はストーマ袋１を付けたまま入浴や水泳等をすることができる。また、ストーマ袋１の外観を隠すことが出来、患者の精神的負担を大きく和らげることができる。
さらに、簡易な手段で提供が可能であるため、使用者の経済的負担を最も軽減することとなるものである。
【符号の説明】
【００１７】
１        ストーマ袋
２        袋
３        面板
４        防水シート
【図１】
0003174091.tif 000003
【図２】
0003174091.tif 000004
【図３】
0003174091.tif 000005